(57)【要約】【課題】フォトフレームの裏板を磁石で前面パネルに取り付ける際に、写真が動かないようにして、写真の装着を確実に、かつ、容易にできるようにする。【解決手段】前面パネル２の裏面の表示窓１の周縁に、一端を開閉自在に取り付けた押圧板１０を設けて、表示窓１に被さるようにする。こうすることで、押圧板１０を開き写真６を表示窓１の上に置いて押圧板１０を閉じると、押圧板１０が写真６を押さえて留めるので、少し傾けても動かないようにできる。また、裏板４の取り付け時の吸着による風圧は、押圧板１０が受けて、受けた風圧を四方へ逃がす。さらに、風圧で写真６を押さえることになり、写真の移動を抑えることができる。その結果、写真６の装着が確実に、かつ、容易にできる。【選択図】図１
2009125198.tif 000002
【特許請求の範囲】
【請求項１】
表示窓を設けた前面パネルの四隅に磁性片を設け、一方、裏板の四隅に磁石片を設けて、前記前面パネルの表示窓の裏面側に写真を置いて裏板を対向させ、裏板の四隅の磁石片を前面パネルの四隅の磁性片に吸着させて写真を装着するようにしたフォトフレームおいて、
上記前面パネル裏面の表示窓の周縁に、一端を開閉自在に取り付けた押圧板を設けて、前記押圧版が表示窓に被さるようにしたフォトフレーム。
【請求項２】
上記前面パネルの四隅の磁性片を磁石片とし、一方、裏板の四隅の磁石片を磁性片とした請求項１に記載のフォトフレーム。
【請求項３】
上記裏板の磁石片に吸着する磁性片あるいは磁石片を両端に取り付けた紐またはチェーンを備えた請求項１または２に記載のフォトフレーム。
【請求項４】
上記裏板の一つの角を挟む両側の辺に、その両側の辺を結ぶ折り曲げ部を設け、前記折り曲げ部を折り曲げて、裏板を前面パネルに取り付けた際に、立ち上げられるようにした請求項１乃至３のいずれかに記載のフォトフレーム。
【請求項５】
上記フォトフレームの裏板の両側に前面パネルを取り付けるとともに、台部とその台部に立設された取り付け部を有し、前記取り付け部がフォトフレームの前面パネルと裏板間に挿入されて係止されるスタンドを備えた請求項１、２、４のいずれかに記載のフォトフレーム。
【請求項６】
上記前面パネルが磁石片を備えたものとし、対向する前面パネルの磁石片の磁極を吸引する向きとして、裏板を除いて直接前面パネル同士を取り付けるようにし、かつ、スタンドの取り付け部が前記前面パネル間に挿入されて係止されるようにした請求項５に記載のフォトフレーム。
【請求項７】
上記裏板を厚くして、その厚くした裏板の前面パネルの表示窓との対向部分に凹部を形成し、前記凹部に小物を収納するようにした請求項１乃至６のいずれかに記載のフォトフレーム。
【発明の詳細な説明】
【技術分野】
【０００１】
この発明は、写真、メニュー、ポスターなどのカード状のものの装着を確実に、かつ、容易にできるようにしたフォトフレームに関するものである。
【背景技術】
【０００２】
写真の装着や取替えを容易にしたフォトフレームとして、（特許文献１）に記載されたものがある。
【０００３】
このフレームは、図９に示すように、表示窓１を設けた前面パネル２の四隅に磁性片３を設け、一方、裏板４の四隅に磁石片５を設けたもので、前記前面パネル２のガラスや樹脂板を嵌めた表示窓１の裏面側に写真６を置いて裏板４を対向させ、四隅の磁石片５を前面パネル２の四隅の磁石片３に吸着させて取り付ける。なお、図中符号７は、パイプを利用した支持足である。
【特許文献１】特開２００６−３４４８０号公報
【発明の開示】
【発明が解決しようとする課題】
【０００４】
しかしながら、上記のものでは、前面パネルに写真を置いて位置を決めても、前面パネルを傾けてしまうと、簡単に写真の位置がずれてしまう。さらに、前面パネルに写真を置いて水平を保っていても、裏板を取り付けるときに、磁石片が磁性片にパチンと勢い良く吸着すると、その風圧で写真が動いてしまう問題がある。
【０００５】
そのため、裏板を一気にパチンと止めないで、少しずつスライドさせて取り付けることも考えられるが、そのように裏板をスライドさせても、スライドさせた裏板に写真が押されて動いてしまう。そこで、前面パネルの裏面と表示窓の間に写真を落とし込めるように空隙を設けることも考えられるが、このように、空隙を設けると、裏板を取り付けた後に中で写真が動いてしまう問題がある。
【０００６】
そこで、この発明の課題は、裏板を磁石で固定する際に写真が動かないようにして、写真の装着を確実に、かつ、容易にできるようにすることである。
【課題を解決するための手段】
【０００７】
上記の課題を解決するため、請求項１の発明では、裏板の四隅の磁石片を前面パネルの四隅の磁性片に吸着させて取り付けるようにしたフォトフレームにおいて、前記前面パネル裏面の表示窓周縁に、一端を開閉自在に取り付けた押圧板を設けて、表示窓に被さるようにした構成を採用したのである。
【０００８】
このような構成を採用することにより、このフォトフレームでは、押圧板を開き写真を表示窓の上に置いて押圧板を閉じると、押圧板が写真を押さえて動きを止める。このように、写真は、押圧板に押さえられるので、前面パネルが少し傾いた程度では表示窓に置いた位置を保持できる。この状態で裏板を取り付けると、裏板が吸着する際の風圧は、押圧板が受けることになる。このとき、押圧板は、一端を表示窓の周縁の一側に取り付けられ固定されているので、動くことはなく、受けた風圧を四方へ逃がすことができる。さらに、押圧板は風圧で写真を押さえることになり、写真の移動を抑えることができる。
【０００９】
また、このとき、請求項２の発明では、前面パネルの四隅の磁性片を磁石片とし、一方、裏板の四隅の磁石片を磁性片とした構成を採用したのである。
【００１０】
このような構成を採用することによっても裏板を吸着することができるので、写真の移動を抑えるフォトフレームを実現できる。
【００１１】
また、請求項３の発明では、裏板の磁石片に吸着する磁性片あるいは磁石片を両端に取り付けた紐またはチェーンを備えた構成を採用することができる。
【００１２】
このような構成を採用することにより、前面パネルに取り付けた裏板の磁石片または磁性片に、紐あるいはチェーンの両端の磁石片あるいは磁性片を吸着させて取り付ければ、その取り付けた紐あるいはチェーンでフレームを吊り下げることができる。また、紐あるいはチェーンは、吊り下げる必要がなくなれば、引っ張って取外すことができる。
【００１３】
また、請求項４の発明では、裏板の一つの角を挟む両側の辺に、その両側の辺を結ぶ折り曲げ部を設け、前記折り曲げ部を折り曲げて、裏板を前面パネルに取り付けた際に、立ち上げられるようにした構成を採用することができる。
【００１４】
このような構成を採用することにより、裏板を前面パネルに取り付けて、折り曲げ部を折り曲げて立ち上げると、この立ち上げた部分を支えとしてフォトフレームを机上などに置くことができる。
【００１５】
また、請求項５の発明では、フォトフレームの裏板の両側に前面パネルを取り付けるとともに、台部とその台部に立設された取り付け部を有し、前記取り付け部がフォトフレームの前面パネルと裏板間に挿入されて係止されるスタンドを備えた構成を採用したのである。
【００１６】
このような構成を採用することにより、挿入したスタンドの取り付け部は、前面パネルと裏板とに挟まれて把持されるので、スタンドを使用してフォトフレームを垂直に立てることができる。
【００１７】
また、その際、請求項６の発明では、前面パネルが磁石片を備えたものとし、対向する前面パネルの磁石片の磁極を吸引する向きとして、裏板を除いて直接前面パネル同士を取り付けるようにし、かつ、スタンドの取り付け部が前記前面パネル間に挿入されて係止されるようにした構成を採用することができる。
【００１８】
このような構成を採用することにより、表と裏の両側に、例えば、写真を展示できるフォトフレームを提供できる。
【００１９】
また、請求項７の発明では、裏板を厚くして、その厚くした裏板の前面パネルの表示窓との対向部分に凹部を形成し、前記凹部に小物を収納するようにした構成を採用することができる。
【００２０】
このような構成を採用することにより、写真やカードと同時に、それ以外のアクセサリーなどの厚みのある小物も収容するようにできる。
【発明の効果】
【００２１】
この発明は、上記のように構成したことにより、写真の装着が容易にできる。
【発明を実施するための最良の形態】
【００２２】
以下、この発明の最良の形態を図面に基づいて説明する。図１（ａ）に示すように、この形態のフォトフレームは、前面パネル２と裏板４とで構成され、前面パネル２に押圧板１０を設けた構成となっている。また、前面パネル２と裏板４は、レザークラフトを使用して製作したものである。
【００２３】
前面パネル２は、長方形の中央に表示窓１を形成したもので、その四隅に磁性片（鉄片）３を設けた構造となっている。また、前面パネル２の裏面の表示窓の周縁に押圧板を開閉自在に設けるとともに、前記表示窓１にアクリル板１１を取り付けた構造となっている。
【００２４】
すなわち、前面パネル２は、図１（ｂ）のように、表革２０と裏革２１とを枠形に形成し、長方形の表示窓１を形成して、その枠形に形成した表革と裏革の間に芯材２３を配して糸２４でもって縫着したものである。
【００２５】
そのため、この縫着前に、裏革２１の表示窓１の周縁に透明なアクリル製の押圧板１０を取り付けて、押圧板１０が表示窓１を開閉自在に被えるようにしてある。
【００２６】
この押圧板１０は、表示窓１より一回り大きな長方形のもので、押圧板１０の端部を二枚の革の小片の一端で挟んで縫着し、縫着した二枚の革の小片の他端を裏革２１に縫着したもので、図１（ａ）、（ｂ）のように、表示窓１の周縁に窓の辺（図では下辺）と並行に、かつ、外縁との間に縫着することにより、押圧板１０を開閉自在に支持して、表示窓１を被うようにしてある。
【００２７】
一方、枠形の表革２０と裏革２１の縫着は、枠の四隅に磁性片３を挟んで芯材２３で固定し、外周を糸２４で逢着するとともに、表示窓１にアクリル板１１を挟んでアクリル板１１の周囲と表示窓１の周囲とを同時に糸２４で縫着する。そのため、アクリル板１１の形状も表示窓１より一回り大きなものを使用してある。
【００２８】
裏板４は、前面パネル２と同じ大きさの長方形のもので、四隅に磁石片５を設けたものである。
【００２９】
すなわち、前面パネル２と同様に、表革２０と裏革２１の間に芯材２３を設けて糸２４で縫着したもので、表革２０と裏革２１で四隅の磁石片５を挟んで芯材２３で固定して糸２４でもって縫着してある。
【００３０】
このように、磁性片３と磁石片５を革の中に埋め込むことで、磁性片３や磁石片５が剥がれたりすることが無く、見た目も良いので好ましい。
【００３１】
この形態は、上記のように構成され、このフォトフレームに写真を装着する場合は、前面パネル２の押圧板１０を開いて表示窓１に写真を置いたのち、押圧板１０を閉じる。すると、押圧板１０が表示窓１を被って写真を押さえて動きを止める。このとき、写真６は、押圧板１０に押さえられるので、前面パネル２を少し傾けた程度では表示窓１に置いた位置を保持できる。
【００３２】
この状態で裏板を対向させて、裏板４の磁石片５を前面パネル２の磁性片３にパチンと勢い良く吸着させて留めると、風圧を生じるが、押し圧板１０は、一端が表示窓１の周縁に取り付けられ固定されているので、風圧によって動くことはなく、図２のように、風圧Ｑを四方へ逃がす。さらに、受けた風圧で写真６を押さえることになり、写真の移動を抑えることができる。このように、写真６の移動を抑えて、写真６の装着が容易に行なえる。
【００３３】
一方、写真６を装着したフォトフレームは、例えば、机上の何かに立掛けたり、裏板４の磁石片を利用してスチール製のロッカーや冷蔵庫の扉などに吸着させたりして展示することができる。
【００３４】
なお、この形態では、前面パネル２と裏板４にレザーを使用したものを示したが、レザーなどの素材に限定されるものではない。これ以外にも木、樹脂などを使用したものでも良い。
【００３５】
また、この形態では、前面パネル２の四隅に磁性片３を設け、裏板４の四隅に磁石片５を設けたものを示したが、これに限定されるものではなく、前面パネル２の四隅に磁石片５を設け、裏板４に磁性片３を設けるようにしてもよい。また、このように、前面パネル２と裏板４の一方に磁性片３を配置し、他方に磁石片５を配置することで、磁石片５の磁極を考慮せずに製作することができる。
【実施例１】
【００３６】
この実施例１は、図３に示すように、フォトフレームの裏板４の四隅に設けた磁石片５を利用して壁面などへの吊り下げができるようにしたもので、両端に磁性片３や磁石片５を取り付けた吊り下げ紐やチェーン１２を備えたものである。
【００３７】
使用方法は、図３のように、フォトフレームの裏板４の磁石片３や磁性片５に、紐やチェーン１２の両端の磁性片３や磁石片５を吸着させて、その紐やチェーン１２を壁面にピンで留めたり、突起物に引っ掛けたりするというものである。
【実施例２】
【００３８】
この実施例２は、図４（ａ）、（ｂ）及び（ｃ）、（ｄ）に示すように、フォトフレームが机上や棚などに自立できるようにしたものである。
【００３９】
まず、図４（ａ）は、裏板４の一つの隅を挟む両側の辺に、その両側の辺を結ぶ折り曲げ部１３を設けたものである。
【００４０】
折り曲げ部１３は、例えば、裏板４の一つの角を挟む両側の辺を結ぶ部分の芯材２３を除いて糸２４でもって縫着し、折り曲げ線を形成したものである。そのため、前面パネル２に取り付ける際に、図４（ｂ）のように、外向きに折り曲げて立ち上げることで、フォトスタンドを机上や棚などに支持して自立させることができるというものである。
【００４１】
また、しまうなど自立させる必要がなくなった場合は、折り曲げ部１３を伸ばして隅の磁石片５あるいは磁性片３を前面パネル２の磁性片３あるいは磁石片５に吸着させればよい。
【００４２】
図４（ｃ）は、裏板４に支持足１４を設けたもので、図４（ｄ）のように、支持足１４を立ち上げてフォトスタンドを支持させることで、机上や棚などに自立させることができるというものである。自立させる必要がなくなった場合は、図４（ｃ）のように、支持足１４を戻せばよい。
【実施例３】
【００４３】
この実施例３は、図５（ａ）、（ｂ）のような、スタンド１５を台部１６と台部１６に立設した２本の取り付け部１７、１７´からなる逆Π型のものとして、裏板４の両側に前面パネル２、２´を取り付けたものである。
【００４４】
すなわち、逆Π字型の２本の垂直部分を取り付け部１７、１７´としたもので、図５（ｂ）のように、一方の取り付け部１７を、一方の前面パネル２と裏板４の間に挿入し、他方の取り付け部１７´を他方の前面パネル２´と裏板４との間に挿入して支持させたものである。このとき、スタンドの取り付け部の幅をフォトフレームの両端に達するものとして磁性材で形成しておけば、前面パネル２あるいは裏板４の磁石片５と吸着して取り付けを強固にできる。
【００４５】
このようにスタンド１５で支持したものは、フォトフレームを垂直に支持できるので、例えば、写真以外に、メニューなどの掲示やポスターなどを展示するＰＯＰスタンドとしても使用できる。
【実施例４】
【００４６】
実施例４は、図６（ａ）のように、前面パネル２と２´同士を図５（ａ）の裏板４を除いて吸着させるようにしたものである。この場合、前面パネル２と２´は、磁石片５と磁性片３を備えるようにすれば、磁極の向きを考慮する必要はないのであるが、ここでは、吸着力を強化するため、前面パネル２と２´に、磁石片５を使用している。
【００４７】
このとき、前面パネル２と２´の磁石片５の磁極の向きが同じ場合は、磁石同士が反発して取り付けられないので、磁極の向きを考慮して取り付けられるように目印などを付ける必要がある。この問題を解決する方法として、例えば、磁石片５を球状にして回転可能としておけば、磁極の向き考慮しなくても取り付けられる。
【００４８】
また、このとき、スタンド１５は、図６（ｂ）のように、取り付け部１７が一本の逆Ｔ字型のものを使用して、前面パネル２と２´の間に挿入する。
【実施例５】
【００４９】
実施例５は、図７に示すように、裏板４に小物Ｗの収納用のスペースを形成したもので、写真６と一緒に思い出のアクセサリーなどを収容できるようにしたものである。
【００５０】
すなわち、図８に示すように、裏板４の厚みを厚くして（小物の大きさに合わせて）、前面パネル２の表示窓１と対向する位置に凹部１８を形成したものである。そのため、凹部１８は、押圧板１０を介して表示窓１に臨むようになっており、写真６の裏側に小物Ｗの収納スペースが形成されるようになっている。
【００５１】
使い方は、例えば、前面パネル２の押圧板１０を開いて写真６を置いて、押圧板１０を閉じる。次に、裏板４の凹部１８に、前記写真６と関連するアクセサリーなどの小物Ｗを入れて前面パネル２を取り付ける。このとき、前面パネル２の写真６は、押圧板１０によって留められているので、押圧板１０が開かないように指で支えれば、簡単に取り付けられる。また、取り付け後は、押圧板１０が分離壁として働くので、小物が侵入して写真６を傷めない。
【００５２】
そして、写真６を見て小物Ｗを取り出したい場合は、前面パネル２を外せば取り出せる。この取り外しは、磁石片５で吸着しているだけなので、工具などを使わなくても引っ張るだけで外せるので、簡便である。
【実施例６】
【００５３】
この実施例６は、図８に示すように、裏板４にバックライト１９を設けたもので、バックライト１９を点灯することで、写真（厚みの薄いポスター）などを介して点灯光を透過させて、表示するというものである。
【００５４】
バックライト１９には、ＬＥＤなどの発熱の小さなものを使用すれば、写真６を傷めないので好ましい。
【産業上の利用可能性】
【００５５】
この発明は、カード状のものの装着を確実に、かつ、容易にできるので、カード状のものを展示や掲示を行なうものに利用可能である。例えば、写真、ポスター、メニュー、メモ、値札、などに利用可能である。
【図面の簡単な説明】
【００５６】
【図１】（ａ）実施形態の分解斜視図、(ｂ)（ａ）の断面図
【図２】実施形態の作用説明図
【図３】実施例１の斜視図
【図４】（ａ）実施例２の斜視図、（ｂ）（ａ）の作用説明図、（ｃ）実施例２の他の態様を示す斜視図、（ｄ）（ｃ）の作用説明図
【図５】（ａ）実施例３の分解斜視図、（ｂ）（ａ）の断面図
【図６】（ａ）実施例４の分解斜視図、（ｂ）（ａ）の断面図
【図７】実施例５の断面図
【図８】実施例６の断面図
【図９】従来例の分解斜視図
【符号の説明】
【００５７】
１  表示窓
２  前面パネル
２´  前面パネル
３  磁性片
４  裏板
５  磁石片
６  写真
１０  押圧板
１２  紐、チェーン
１３  折り曲げ部
１４  支持足
１５  スタンド
１６  台部
１７  取り付け部
１８  凹部
１９  バックライト
Ｑ  風圧
Ｗ  小物
【図１】
2009125198.tif 000003
【図２】
2009125198.tif 000004
【図３】
2009125198.tif 000005
【図４】
2009125198.tif 000006
【図５】
2009125198.tif 000007
【図６】
2009125198.tif 000008
【図７】
2009125198.tif 000009
【図８】
2009125198.tif 000010
【図９】
2009125198.tif 000011